(57)【要約】【課題】冷却貯蔵庫の排水構造において、エルボ管に結露が生じるのを防止し、エルボ管の取付部位から断熱材が漏出するのを阻止する。【解決手段】内ハウジング１の開孔部１ａにエルボ管５のフランジ部５ａを取り付け、エルボ管本体部５ｂの二次側端部を、案内ケース５天井部の円孔７ａ内へ挿入させる。しかる後、内ハウジング１と外ハウジング２との間へ断熱材３を配置する。最後に、水受けトレイ４をエルボ管５の一次側に接続し、排水管６をエルボ管５の二次側に接続して、排水経路を形成する。エルボ管のほぼ全体を断熱材で覆うことができるので、エルボ管における結露の発生を防止できる。エルボ管位置の断熱材厚みを確保できるから、断熱性が向上する。エルボ管と案内ケース天井部との隙間を小さくできるから、目張り材による閉塞が容易であり、発泡性の断熱材が発泡するときに隙間から漏出するのを確実に阻止できる。【選択図】　　　図１
2004138334.tif 000002
【特許請求の範囲】
【請求項１】
壁部が内ハウジングと外ハウジングとの間に断熱材を配して成り、この壁部に庫内で生じた排水を外部へ導出するためのエルボ管を設けた冷却貯蔵庫において、内ハウジングに形成した排出孔に前記エルボ管の一次側を取り付け、外ハウジングの内表面と断熱材との間に配設した案内ケースの天井部に、前記エルボ管の二次側を取り付けたことを特徴とする冷却貯蔵庫の排水構造。
【発明の詳細な説明】
【０００１】
【発明の属する技術分野】
本発明は、冷蔵庫・冷凍庫などの冷却貯蔵庫において、除霜時等に庫内で生じた排水を外部へ排出するための構造の改良に関する。
【０００２】
【従来の技術】
特許文献１には、冷蔵庫内で生じた排水を、庫内に設けた水受樋で集め、これを背面側の壁部を貫通させて設けた排水樋を通じて庫外へ導き、外部に設けた排水パイプ中に排出するようにした排水構造が記載されている。また特許文献２には、冷却庫内で生じた排水を、庫内に設けたトレイに集め、これを背面壁の内部を貫通させて設けた排水管を通じて外部へ排出するようにした排水構造が記載されている。
【０００３】
特許文献１の排水構造は、排水パイプが外部に露出するため、好ましくない。特許文献２の排水構造は、排水管が露出しないが、背面壁の内部に排水管を埋設するものであるため、構造が複雑であり、製作性が悪い。
【０００４】
そこで図４に示すように、壁部が内ハウジング１と外ハウジング２との間に断熱材３を配して成る冷却貯蔵庫Ｒにおいて、外ハウジング２の内表面と断熱材３との間に案内ケース１０を設け、この案内ケース１０内に排水管６を収納することにより、排水管６を外部に露出させないようにする構造が提案されている。
【０００５】
かかる排水構造をより詳細に説明すると、図５及び図６に示す如く、内ハウジング１の適所に凹部１ｂを設け、この凹部１ｂの奥に形成した開孔部１ａに、エルボ管５の一次側のフランジ部５ａを取り付ける。また、外ハウジング２の内表面と断熱材３との間に設けた案内ケース１０の正面開口部１０ａに、エルボ管５の本体部５ｂを挿入する。そして、冷却貯蔵庫Ｒ内で生じた排水を水受けトレイ４で集めたのち、これをエルボ管５へ導き、エルボ管５の二次側に接続した排水管６を通じて、外部へ送り出すように成されている。
【０００６】
【特許文献１】
実開昭５５−１３５２８２号公報
【特許文献２】
実開昭６２−３１２８１号公報
【０００７】
【発明が解決しようとする課題】
前記図４乃至図６に記載した従来の排水構造にあっては、エルボ管５の本体部５ｂの大部分が案内ケース１０内において外気に露出している。また、内ハウジング１におけるエルボ管５の取付箇所に凹部１ｂを形成しており、この凹部１ｂと案内ケース１０との間では、断熱材３の層厚みが小さくなっている。それ故、エルボ管５の部分で結露が生じやすいうえに、断熱性が悪いという問題が生じている。
【０００８】
さらに、エルボ管５を案内ケース１０の正面部から挿入する構成を採っているから、案内ケース１０の正面開口部１０ａは、図５に示すとおり、長孔状に形成する必要がある。このため、エルボ管５を案内ケース１０内へ挿入したのちに行う、エルボ管５と正面開口部１０ａとの間の目張り作業が難しくなっている。その上、エルボ管５と長孔状の正面開口部１０ａとの隙間が大きいから、断熱材３として発泡性樹脂を使用する場合、発泡時に合成樹脂が上記隙間から漏出するおそれがあった。
【０００９】
【課題を解決するための手段】
前述した従来の問題を解決するために本発明が採用した冷却貯蔵庫の排水構造の特徴とするところは、壁部が内ハウジングと外ハウジングとの間に断熱材を配して成り、この壁部に庫内で生じた排水を外部へ導出するためのエルボ管を設けた冷却貯蔵庫において、内ハウジングに形成した排出孔に前記エルボ管の一次側を取り付け、外ハウジングの内表面と断熱材との間に配設した案内ケースの天井部に、前記エルボ管の二次側を取り付けたことである。
【００１０】
前記の如く構成した本発明の排水構造は、エルボ管のほぼ全体が、内ハウジングと外ハウジングとの間を充填する断熱材で覆われることとなり、外部に露出するのは、案内ケースの天井部へ取り付けられる二次側の一部分だけとなる。すなわち、エルボ管のほぼ全体が断熱的に保持されるから、エルボ管の表面に結露が生じるのを確実に防止できる。案内ケースに形成する開孔は、エルボ管の二次側を取り付けることが可能な大きさの円孔であればよく、長孔にする必要が無いから、エルボ管二次側と案内ケース円孔との隙間を小さくすることが可能である。それ故、上記隙間を塞ぐための目張り作業が容易になり、断熱材を発泡性合成樹脂とした場合において、合成樹脂を発泡させた時の上記隙間からの漏出を抑制できる。
【００１１】
【発明の実施の形態】
本発明に係る冷却貯蔵庫の排水構造（以下「本発明構造」と言う）の一実施形態を、図１乃至図３を用いて説明する。本発明が適用される冷却貯蔵庫とは、冷蔵庫、冷凍庫、保冷庫などが挙げられ、低温に保持された庫内で生じた水を外部へ排出する機構を備えるものであれば、本発明の適用対象となり得る。また本発明構造は、冷却貯蔵庫の背面壁に設けるのが一般的であるが、左右いずれかの側壁や、場合によっては正面壁に設けることも可能である。
【００１２】
図面に示すように、冷却貯蔵庫の庫内空間を形成する内ハウジング１は、開孔部１ａを有する凹部１ｂが適所に設けられたものであって、この開孔部１ａにエルボ管５の一次側に形成したフランジ部５ａが取り付けられる。他方、冷却貯蔵庫の外郭を形成する外ハウジング２は、所要箇所に切欠部２ａが形成され、この切欠部２ａに合わせて、外ハウジング２の内表面に、排水管６を収納するための案内ケース７が一体的に配設される。案内ケース７は、中空柱状の形態を備え、その天井部が、内ハウジング１の開孔部１ａより下側に位置するよう設定されると共に、該天井部に、エルボ管５における本体部５ｂの二次側を挿入させる円孔７ａが形成されている。
【００１３】
かかる構成の本発明構造の組み立ては、例えば次のような手順で行われる。まずはじめに、内ハウジング１の開孔部１ａに、エルボ管５のフランジ部５ａをなるべく水密的に取り付ける。なお、上記開孔部１ａに対するエルボ管フランジ部５ａの取り付けは、内ハウジング１の内面側からでも外面側からでもよい。次いで、エルボ管本体部５ｂにおける二次側端部付近に、図３（Ａ）に示す如く目張り材８をあらかじめ装着しておく。引き続き、外ハウジング２と一体の案内ケース７を、エルボ管５に対し下方から接近させ、図３（Ｂ）の如く、案内ケース５の天井部に形成した円孔７ａ内へ、エルボ管本体部５ｂの二次側下端部を挿入させる。このとき、目張り材８によって、エルボ管５と案内ケース円孔７ａとの間の隙間が確実に閉塞される。しかる後、内ハウジング１と外ハウジング２との間へ断熱材３を配置する。断熱材３として例えば発泡性合成樹脂を使用すれば、発泡処理により、内ハウジング１と外ハウジング２との間隙を容易に充填することが可能である。最後に、冷却貯蔵庫の庫内において、排水を集める水受けトレイ４をエルボ管５の一次側に接続し、案内ケース７内において、排水管６をエルボ管５の二次側に接続すれば、庫内で生じた排水を外部へ排出する排水経路が形成される。
【００１４】
【発明の効果】
本発明構造は、エルボ管の二次側を、案内ケースの天井部に取り付ける構成を採用したことにより、エルボ管のほぼ全体を断熱材で覆うことができ、外部に露出するのをごく一部に限れるので、エルボ管における結露の発生を防止できる。また、エルボ管の位置における断熱材の層厚みを確保できるから、断熱性が向上する。エルボ管と案内ケース天井部の円孔との隙間を小さくできるから、目張り材による閉塞が容易である。よって、断熱材を発泡性合成樹脂とした場合、この断熱材が発泡するときに上記隙間から漏出するのを確実に阻止できる。なお、エルボ管に排水管を接続する作業は、断熱材を内ハウジングと外ハウジングとの間に充填した後に、案内ケース内で行えるから、作業性が優れている。
【図面の簡単な説明】
【図１】本発明の一実施形態に関するものであって、冷却貯蔵庫の壁部に設けた本発明構造を示す側面断面図である。
【図２】本発明の一実施形態に関するものであって、エルボ管、内ハウジング及び外ハウジングを分解して示す要部の斜視図である。
【図３】本発明の一実施形態に関するものであって、本発明構造の組立要領を説明するものであり、図（Ａ）はエルボ管の二次側を案内ケースに接続する前の状態を示す側面断面図、図（Ｂ）はエルボ管の二次側を案内ケースの天井部に接続した状態を示す側面断面図である。
【図４】従来の冷却貯蔵庫の一例を示す側面断面図である。
【図５】冷却貯蔵庫の壁部に設けた従来の排水構造を示す側面断面図である。
【図６】従来の排水構造に関するものであって、エルボ管、内ハウジング及び外ハウジングを分解して示す要部の斜視図である。
【符号の説明】
１…内ハウジング　１ａ…開孔部　１ｂ…凹部　２…外ハウジング　２ａ…切欠部　３…断熱材　４…水受けトレイ　５…エルボ管　６…排水管　７…案内ケース　７ａ…円孔　８…目張り材　Ｒ…冷却貯蔵庫
【図１】
2004138334.tif 000003
【図２】
2004138334.tif 000004
【図３】
2004138334.tif 000005
【図４】
2004138334.tif 000006
【図５】
2004138334.tif 000007
【図６】
2004138334.tif 000008